(57)【要約】【課題】通常の処理動作では使用しないセンサを別途付加することなく防犯装置として使用することができる画像読取装置を提供すること。【解決手段】本発明の画像読取装置１は、防犯モードへの移行に伴って走査キャリッジ２７が外光監視状態となるように走査キャリッジ２７を動作させるアクチュエータと、通常モード時は原稿の画像を読取り、防犯モード時は走査キャリッジ２７が前記外光監視状態にあるときに自装置１周辺における所定領域の外光を電気信号として検出するＣＣＤラインセンサ２７と、ＣＣＤラインセンサ２７が検出した電気信号が閾値４１を超えたか否かに基づいて異常の有無を判定する制御部２と、を備える。【選択図】      図１
2006013673.tif 000002
【特許請求の範囲】
【請求項１】
防犯モードへの移行に伴って可動部材が外光監視状態となるように当該可動部材を動作させる駆動手段と、
前記可動部材が前記外光監視状態にあるときに、自装置周辺における所定領域の光を原稿の画像を読取る読取手段によって電気信号として検出する検出手段と、
該検出手段が検出した電気信号が所定の閾値を超えたか否かに基づいて異常の有無を判定する判定手段と、を備えることを特徴とする画像読取装置。
【請求項２】
自装置周辺における所定領域の光を集める集光手段と、
防犯モードへの移行に伴って可動部材が外光監視位置まで移動するように当該可動部材を移動させる駆動手段と、
前記集光手段が集めて前記外光監視位置にある前記可動部材が導いた光を原稿の画像を読取る読取手段によって電気信号として検出する検出手段と、
該検出手段が検出した電気信号が所定の閾値を超えたか否かに基づいて異常の有無を判定する判定手段と、を備えることを特徴とする画像読取装置。
【請求項３】
前記検出手段が検出する電気信号の検出感度を調整する検出感度調整手段を備えることを特徴とする請求項１又は２記載の画像読取装置。
【請求項４】
前記検出感度調整手段は、前記検出手段が検出する前記電気信号の検出感度を、検出した前記電気信号のレベルが所定の目標レベルとなるように、所定時間毎に調整することを特徴とする請求項３記載の画像読取装置。
【請求項５】
前記検出手段が検出した電気信号のレベル変化量が所定の閾値を超えてから前記レベル変化量の絶対値が前記閾値を超えるまでの間の時間を計測する計測手段を備え、
前記判定手段は、前記計測手段が計測した時間が設定時間を超えたか否かに基づいて異常の有無を判定することを特徴とする請求項１乃至４のいずれかに記載の画像読取装置。
【請求項６】
前記判定手段が異常有りと判定した場合にその旨を所定の外部通信端末に通知する通知手段を備えることを特徴とする請求項１乃至５のいずれかに記載の画像読取装置。
【発明の詳細な説明】
【技術分野】
【０００１】
本発明は、画像読取装置に関し、詳しくは、原稿の画像を読取る手段を用いて自装置周辺における所定領域の光（以下、「外光」ともいう。）を検出する画像読取装置に関する。
【背景技術】
【０００２】
空き巣等の侵入犯罪における犯罪者の手口は、年々多様化・巧妙化しており、これらの犯罪者は、住宅に保管されている現金や貴金属はもちろん、企業の重要な書類やデータ等をも狙っている。こういった侵入犯罪に対して、個人・企業を問わず防衛意識が高まっており、さまざまな防犯装置が住宅やオフィス等に導入されている。
【０００３】
ユーザが外出中に住宅やオフィス等の異常を検出し、ユーザや警備会社に異常を通知する防犯装置を導入すると、安全で安心ではあるが、装置が大掛かりなものとなるため、相当なコストがかかるという問題がある。かかる事情を考慮して、ファクシミリ送受信に備えて常時電源が投入されているという特性を活用することにより安価に導入することができる画像読取装置が特許文献１に開示されている。
【０００４】
特許文献１の画像読取装置は、ファクシミリ送受信等を行うための構成に加えて、室内の光、温度、振動、音、ドア開閉等を検出するセンサとを備えており、該センサの検出結果に基づいて異常があると判断した場合に、予め登録された所定宛先のファクシミリ装置に異常が発生した日時、発生した異常の内容等を伝えるメッセージの画像データを自動的に送信するものである。所定宛先のファクシミリ装置は、送信されたメッセージの画像データを記録紙に出力し、ユーザは、この記録紙に記録されたメッセージから異常の内容を把握して適切な対応をとることができる。
【０００５】
【特許文献１】特開２００２−５７８６９号公報
【発明の開示】
【発明が解決しようとする課題】
【０００６】
しかしながら、特許文献１の画像読取装置では、室内の光等を検出するためにセンサを別途備える必要があった。すなわち、画像読取装置が通常の処理動作を行う上で使用しないセンサを別途付加しなければならなかった。
【０００７】
本発明は、上記の課題に鑑みてなされたものであり、通常の処理動作では使用しないセンサを別途付加することなく防犯装置として使用することができる画像読取装置を提供することを目的とする。
【課題を解決するための手段】
【０００８】
上記目的を達成するために、請求項１記載の画像読取装置は、防犯モードへの移行に伴って可動部材が外光監視状態となるように当該可動部材を動作させる駆動手段と、前記可動部材が前記外光監視状態にあるときに、自装置周辺における所定領域の光を原稿の画像を読取る読取手段によって電気信号として検出する検出手段と、該検出手段が検出した電気信号が所定の閾値を超えたか否かに基づいて異常の有無を判定する判定手段と、を備えることを特徴としている。
【０００９】
請求項２記載の画像読取装置は、自装置周辺における所定領域の光を集める集光手段と、防犯モードへの移行に伴って可動部材が外光監視位置まで移動するように当該可動部材を移動させる駆動手段と、前記集光手段が集めて前記外光監視位置にある前記可動部材が導いた光を原稿の画像を読取る読取手段によって電気信号として検出する検出手段と、該検出手段が検出した電気信号が所定の閾値を超えたか否かに基づいて異常の有無を判定する判定手段と、を備えることを特徴としている。
【００１０】
請求項３記載の画像読取装置は、請求項１又は２記載の画像読取装置において、前記検出手段が検出する電気信号の検出感度を調整する検出感度調整手段を備えることを特徴としている。
【００１１】
請求項４記載の画像読取装置は、請求項３記載の画像読取装置において、前記検出感度調整手段は、前記検出手段が検出する前記電気信号の検出感度を、検出した前記電気信号のレベルが所定の目標レベルとなるように、所定時間毎に調整することを特徴としている。
【００１２】
請求項５記載の画像読取装置は、請求項１乃至４のいずれかに記載の画像読取装置において、前記検出手段が検出した電気信号のレベル変化量が所定の閾値を超えてから前記レベル変化量の絶対値が前記閾値を超えるまでの間の時間を計測する計測手段を備え、前記判定手段は、前記計測手段が計測した時間が設定時間を超えたか否かに基づいて異常の有無を判定することを特徴としている。
【００１３】
請求項６記載の画像読取装置は、請求項１乃至５のいずれかに記載の画像読取装置において、前記判定手段が異常有りと判定した場合にその旨を所定の外部通信端末に通知する通知手段を備えることを特徴としている。
【発明の効果】
【００１４】
本発明の請求項１の画像読取装置によれば、自装置周辺における所定領域の光を原稿の画像を読取る読取手段によって電気信号として検出し、検出した電気信号に基づいて異常の有無を判定するため、通常の処理動作では使用しないセンサを別途付加せずに、自装置周辺における所定領域、例えば、画像読取装置が置かれた位置上方の光等を検出する防犯装置として使用することができる。
【００１５】
請求項２の画像読取装置によれば、自装置周辺の所定領域の光を集めて、可動部材により導かれた前記光を原稿の画像を読取る読取手段によって電気信号として検出し、検出した電気信号に基づいて異常の有無を判定するため、通常の処理動作では使用しないセンサを別途付加せずに、自装置周辺における所定領域、例えば、画像読取装置周辺に置かれた金庫周辺を照らす光等を監視する防犯装置として使用することができる。
【００１６】
請求項３の画像読取装置によれば、請求項１又は２記載の画像読取装置の効果に加えて、検出する電気信号の検出感度を調整するため、周囲の明るさに対応して異常の有無を判定できる。
【００１７】
請求項４の画像読取装置によれば、請求項３記載の画像読取装置の効果に加えて、検出した電気信号のレベルが所定の目標レベルとなるように、所定時間毎に検出する電気信号の検出感度を調整するため、周囲の明るさが変化してもそれに応じて常に精度よく異常の有無を判定できる。
【００１８】
請求項５の画像読取装置によれば、請求項１乃至４のいずれかに記載の画像読取装置の効果に加えて、検出した電気信号のレベル変化量が所定の閾値を超えてから前記レベル変化量の絶対値が前記閾値を超えるまでの間の時間を計測し、計測した時間が設定時間を超えたか否かに基づいて異常の有無を判定するため、瞬間的な光の変化を異常有りと判定するような誤判定を防止でき、的確に異常の有無を判定できる。
【００１９】
請求項６の画像読取装置によれば、請求項１乃至５のいずれかに記載の画像読取装置の効果に加えて、異常有りと判定した場合にその旨を所定の外部通信端末に通知するため、外部通信端末を所持するユーザは、画像読取装置周辺の所定領域における異常発生を知ることができる。
【発明を実施するための最良の形態】
【００２０】
以下、本発明の実施の形態に係る画像読取装置について図面に基づき説明する。この画像読取装置１は、外部の装置との間で原稿の画像データをファクシミリ送受信する機能、電子メールを送信する機能及び外部通信端末からのコマンドを受付けて該コマンドに対応する処理を実行する機能を備えた装置である。
【００２１】
図１は、本発明の実施の形態に係る画像読取装置１の構成例を示した説明図である。この画像読取装置１は、図示するように、制御部（ＭＰＵ：Microprocessing Unit）２、ＲＯＭ（Read Only Memory）３、集光部４、読取部５、ＲＡＭ（Random Access Memory）６、コーデック（ＣＯＤＥＣ：Coder and Decoder）７、画像メモリ８、集音部９、通信部１０、ＬＡＮ Ｉ／Ｆ（Local Area Network Interface）１１、操作部１２、表示部１３、及び記録部１４を備えており、集光部４を除く各部は、バス１５によって通信可能に接続されている。また、画像読取装置１と外部通信端末１６は、ＰＳＴＮ（Public Switched Telephone Network）１７を介して通信可能である。
【００２２】
画像読取装置１には、設定モードとして通常モードと防犯モードがあり、通常モード時は、ファクシミリ送受信機能やコピー機能を実行し、防犯モード時は、自装置１周辺における所定領域の光を監視し異常の有無を判定する防犯機能を実行する。
【００２３】
制御部２は、ＲＯＭ３に格納された制御プログラムに従って、画像読取装置１を構成する各部を制御する。ＲＯＭ３は、制御部２によって画像読取装置１の各部が制御されるための制御プログラムを格納しており、このＲＯＭ３の制御プログラムは、書き換え可能である。
【００２４】
図２は、画像読取装置１の集光部４及び読取部５の概略構成を示した断面図である。読取部５は、図示するように、中空状のフラットベッド読取部（ＦＢＳ：Flat Bed Scanner）１８及び該フラットベッド読取部１８上に自動原稿搬送装置（ＡＤＦ：Automatic Document Feeder）１９を備えている。また、フラットベッド読取部１８は、図示するように、自動原稿搬送装置１９を載置した位置よりも外側に突出した光導入部２０を設けている。なお、本実施形態では、光導入部２０は、図２において、自動原稿搬送装置１９に対して左側に設けてあるが、自動原稿搬送装置１９に対して右側に設けてもよい。
【００２５】
集光部４は、図３（ａ）に示すように、監視ミラー２１、集光レンズ２２、及び白色板２３を備えており、フラットベッド読取部１８の外側から監視ミラー２１、集光レンズ２２、白色板２３の順に前記光導入部２０上に取り付けられている。また、光導入部２０には、白色板２３の下方に該白色板２３が反射した光をフラットベッド読取部１８内に導き入れるための開口部２４が設けられている。
【００２６】
監視ミラー２１は、鉛直軸回りに回転させることによって監視する領域を変更できるように水平角度調整可能に取付けられ、自装置１周辺における所定領域の光を反射して集光レンズ２２に導くものである。例えば、図４に示すように、あるオフィス内に置かれた金庫２５周辺を監視するためにユーザが予めこの監視ミラー２１の水平角度を調整しておくことにより、前記金庫２５周辺を侵入犯罪者が懐中電灯２６等で照らした光を監視ミラー２１で反射して集光レンズ２２に導くことができる。集光レンズ２２は、監視ミラー２１が反射した光を集めて白色板２３に導くものである。この集光レンズ２２は、透過率を調整可能なレンズであり、入力光の強さや色を最適な状態に調整できる。なお、このような集光レンズ２２を用いる代わりに、レンズにフィルタを重ねることにより、入力光を最適な強さや色に調整してもよい。
【００２７】
白色板２３は、集光レンズ２２によって集められた光を反射して前記開口部２４からフラットベッド読取部１８内に導くものである。この白色板２３は、光を反射する面が白色で、例えば、所謂、塩ビ板のような、光を拡散光として反射する材質で構成されている。光導入部２０の自動原稿搬送装置１９を載置した位置からの突出寸法、開口部２４の幅及び位置は、通常モード時（原稿読取時）に光が開口部２４からフラットベッド読取部１８内に入ることによって原稿の読取りに支障が生じないよう適宜設定されている。また、監視ミラー２１、集光レンズ２２、白色板２３の大きさや相互間の距離等は、監視ミラー２１で反射され集光レンズ２２によって集められた光を白色板２３で反射して開口部２４からフラットベッド読取部１８内に導くのに適した設定とされている。上記のように、集光部４は、自装置１周辺における所定領域の光を集める集光手段として機能する。
【００２８】
なお、監視ミラー２１は、本実施形態では水平角度のみ調整可能としており、監視ミラー２１の設置高さにおける外光監視を行っているが、監視ミラー２１を垂直方向にも角度調整可能で、且つ、位置も調整可能とし、集光レンズ２２及び白色板２３の角度や位置も調整可能とすることで、監視ミラー２１の設置高さに限定されず、画像読取装置１が設置された室内のあらゆる高さの領域の光を監視できるようにしてもよい。
【００２９】
また、本実施形態における集光部４では、監視ミラー２１を鉛直軸回りに回転させることによって監視する領域を変更できるが、集光レンズ２２を鉛直軸回りに回転させることによって、図３（ｂ）に示すように、監視ミラー２１を設けることなく、集光レンズ２２及び白色板２３で自装置１周辺における所定領域の光を集めるようにしてもよい。その場合、集光レンズ２２のピントが合う位置の軌跡と白色板２３との位置関係は、図５（ａ）及び（ｂ）に示すように、集光レンズ２２のピントが合う位置の軌跡が白色板２３と接する場合（図５（ａ））と、集光レンズ２２のピントが合う位置の軌跡が白色板２３と２点で交わる場合（図５（ｂ））とでは、前者の場合の集光レンズ２２のピントが合う位置と白色板２３との位置とのずれ量の最大値Ｌａよりも、後者の場合の集光レンズ２２のピントが合う位置と白色板２３との位置とのずれ量の最大値Ｌｂの方が小さくなる（Ｌａ＞Ｌｂ）。したがって、集光レンズ２２のピントが合う位置の軌跡と白色板２３との位置関係は、集光レンズ２２のピントが合う位置の軌跡が白色板２３と２点で交わる場合の方が、監視する領域の全領域において精度の高い監視を行うことができ、好ましい。
【００３０】
読取部５は、そのフラットベッド読取部１８内に、アクチュエータ（不図示）、図２に示すように、走査キャリッジ２７、結像レンズ２８、ＣＣＤ（Charge Coupled Device）ラインセンサ２９、図１に示すように、ＡＦＥ（Analog Front End）回路３０、Ａ／Ｄ変換（Analog to Digital Conversion）回路３１、及びシェーディング補正回路３２を備えている。
【００３１】
アクチュエータは、電動モータ等によって走査キャリッジ２７を、原稿の副走査方向（図２の左右方向）に移動させるものである。走査キャリッジ２７は、原稿を読取るために走査する可動部材であって、第１走査キャリッジ３３及び第２走査キャリッジ３４からなる。第１走査キャリッジ３３は、光源３５及びミラー３６を、第２走査キャリッジ３４は、２つのミラー３７を備えており、それぞれ副走査方向へアクチュエータにより移動可能に構成されている。この走査キャリッジ２７は、通常モード時は原稿読取領域内にあり、フラットベッド読取部１８の透明な原稿載置板３８上に載置された原稿を読取る場合は、読取方向（図２の右方向）へ移動する第１走査キャリッジ３３の光源３５で原稿に光を照射し、その反射光をミラー３６で反射し、その反射光を第１走査キャリッジ３３より遅れて読取方向へ移動する第２走査キャリッジ３４のミラー３７で反射して結像レンズ２８に導く。また、自動原稿搬送装置１９の原稿トレイ３９に載置された原稿を読取る場合は、読取位置Ｐ１下に位置し、原稿が搬送されて読取位置Ｐ１を通過する際に原稿に光源３５で光を照射し、その反射光をミラー３６で反射し、その反射光を第２走査キャリッジ３４のミラー３７で反射して結像レンズ２８に導く。
【００３２】
一方、走査キャリッジ２７は、防犯モード時においては、図２に示すように、防犯モードへの移行に伴って光導入部２０の開口部２４下方の外光監視位置までアクチュエータにより移動され、集光部４で集められ開口部２４から入射する光を第１走査キャリッジ３３のミラー３６で反射し、その反射光を第２走査キャリッジ３４のミラー３７で反射して結像レンズ２８に導く。したがって、走査キャリッジ２７（可動部材）が外光監視状態となるとは、走査キャリッジ２７が前記外光監視位置まで移動することであり、アクチュエータは、防犯モードへの移行に伴って走査キャリッジ２７が外光監視位置まで移動するように走査キャリッジ２７を移動させる駆動手段として機能する。なお、通常モード時に原稿を読取る際、走査キャリッジ２７が読取方向に移動しても、常に原稿読取位置から結像レンズ２８までの光軸の長さは一定に維持される。一方、防犯モード時に走査キャリッジ２７が外光監視位置に移動すると、白色板２３から結像レンズ２８までの光軸の長さは、通常モード時に一定に維持される光軸の長さより長くなり、若干ピントがぼけることが考えられるが、ピントが多少ぼけても光の異常の検出には問題ない。
【００３３】
結像レンズ２８は、通常モード時は、走査キャリッジ２７によって導かれた原稿の画像の反射光をＣＣＤラインセンサ２９上に結像するものである。一方、防犯モード時は、走査キャリッジ２７によって導かれた光をＣＣＤラインセンサ２９上に結像するものである。
【００３４】
ＣＣＤラインセンサ２９は、通常モード時は、前記結像レンズ２８によって結像された原稿の画像の反射光を主走査ライン毎に読取って画像データとして出力する。一方、防犯モード時は、前記結像レンズ２８によって結像された光を所定周期で検出し、検出した光に対応する電気信号、具体的には、主走査ライン毎に検出してアナログ検出信号として出力する。したがって、ＣＣＤラインセンサ２９は、通常モード時は原稿の画像を読取る読取手段として機能し、防犯モード時は集光部４が集めて外光監視位置にある走査キャリッジ２７が導いた光を電気信号として検出する検出手段として機能する。また、このＣＣＤラインセンサ２９は、上記のように、防犯モード時は、所定周期で光を検出するが、所定の時間分（複数回分）の検出値を蓄積し、その平均値を用いて異常の有無の判定をするのが、安定した異常判定をする上で好ましい。ただし、１ライン（１回）検出する毎に異常判定することもできる。なお、ＣＣＤラインセンサ２９は、モノクロセンサ又はカラーセンサを問わないが、防犯モード時にフラットベッド読取部１８内に導かれる光が警告灯等に用いられる赤色光である場合は、モノクロセンサよりもカラーセンサの方が赤色光を検出しやすく好適である。
【００３５】
集光部４の集光レンズ２２及び読取部５の結像レンズ２８の縮小光学系は、入射する光を縮小してＣＣＤラインセンサ２９上に結像するが、図６に示すように、防犯モード時は、ＣＣＤラインセンサ２９の一部の幅（有効幅Ｒ）のみを用いて光を検出するようにすると、白色板２３上では、ＣＣＤラインセンサ２９上の有効幅Ｒに対応する光の検出幅はＳとなり、集光レンズ２２等の大型化を防止することができる。また、これにより、上記したように、集光レンズ２２の回転等により、より広い領域を監視することができる。その際、集光レンズ２２の回転等に伴ってＣＣＤラインセンサ２９上の有効幅Ｒの位置が左右に移動し、また、白色板２３上の有効幅Ｓの位置も左右に移動することになる。
【００３６】
ＡＦＥ回路３０は、図示しないが、アナログアンプを備えており、制御部２は、前記ＣＣＤラインセンサ２９が検出するアナログ検出信号のレベルが所定の目標レベルとなるように、このＡＦＥ回路３０に対するゲイン設定値を所定時間毎に調整する。ＡＦＥ回路３０は、アナログアンプの増幅率を前記ゲイン設定値に応じた増幅率としてアナログ検出信号のレベルのゲイン調整を行い、アナログ検出信号をＡ／Ｄ変換に適したレベルとする。ただし、ＡＦＥ回路３０で調整可能なゲインの範囲は、通常制限があり、その制限範囲内でゲイン調整を行う。なお、ＡＦＥ回路３０は、通常モード時のゲイン設定値に対応するアナログアンプと、防犯モード時のゲイン設定値に対応するアナログアンプとの、それぞれ異なるゲイン設定値に対応する２種類のアナログアンプを備えてもよい。
【００３７】
上記のように、制御部２は、ＣＣＤラインセンサ２９が検出するアナログ検出信号のレベルが所定の目標レベルとなるように、ＡＦＥ回路３０に対するゲイン設定値を所定時間毎に調整することにより、所定時間毎に検出感度を調整する検出感度調整手段として機能する。具体的に画像読取装置１の周囲が次第に明るくなる時間帯を例にして説明すると、図７に示すように、まず、アナログ検出信号のレベルが目標レベルとなるようにゲイン調整を行い、収束すればゲイン調整を終了する（期間Ｐ）。ゲイン調整終了後、周囲が次第に明るくなるのに伴い緩やかにアナログ検出信号のレベルが変化し、所定時間ｔ（例えば数分）経過後再びゲイン調整を開始する（期間Ｑ）。異常な明るさの光がＣＣＤラインセンサ２９に導かれると、ゲイン調整を行っている期間Ｐにおいても、ゲイン調整を行っていない期間Ｑにおいても、通常の光が導かれているときよりアナログ検出信号のレベル変化量が大きく検出される。
【００３８】
自然現象による単位時間当たりの光のレベル変化の度合い（変化量）は、緩やか（微小時間での変化量小）であり、異常発生時の単位時間当たりの光のレベル変化の度合い（変化量）と比較すると小さい。本発明は、この光のレベル変化量に基づいて異常の有無の判定を行うものであり、上記のように検出感度を所定時間毎に調整しながら光のレベル変化量を検出することによって、周囲の明るさが変化してもそれに応じて常に精度よく異常の有無を判定することができる。なお、本実施形態では、ゲイン調整を行い増幅率を増減することによって検出感度を調整しているが、ＣＣＤラインセンサ２９における光の蓄光時間を増減することによって検出感度を調整してもよい。
【００３９】
Ａ／Ｄ変換回路３１は、通常モード時はＡＦＥ回路３０でゲイン調整された原稿の画像データをデジタルの原稿の画像データに、防犯モード時は同様にＡＦＥ回路３０でゲイン調整されたアナログ検出信号をデジタル検出信号に変換するＡ／Ｄ変換を行う。シェーディング補正回路３２は、通常モード時はＡ／Ｄ変換されたデジタルの原稿の画像データに対してシェーディング補正を施して所定の出力先に出力し、防犯モード時は同様にデジタル検出信号に対してシェーディング補正を施して所定の出力先に出力する。
【００４０】
なお、読取部５は、自装置１周辺における所定領域の光を検出することができれば、自動原稿搬送装置１９を備えずフラットベッド読取部１８のみを備えたものでもよいし、フラットベッド読取部１８を備えず自動原稿搬送装置１９のみを備えたものでもよい。読取部５が自動原稿搬送装置１９のみを備えたものである場合は、原稿読取位置は固定となり、モータやシリンダ等の駆動手段で可動部材である開閉カバーを開けて光が原稿読取位置にある読取ガラスから入射するようにして光を監視する。この場合、自装置１周辺における所定領域の光を検出することができれば、特に集光部４を設けなくてもよい。
【００４１】
また、集光部４の白色板２３を拡散板ではなくミラーとし、走査キャリッジ２７を所定範囲で副走査方向に周期的に移動させることにより、監視する領域を周期的に変更するようにしてもよい。また、ＣＣＤラインセンサ２９の検出対象は、特定位置の特定色の光、例えば、画像読取装置１が設置された室内の出入口付近に警告灯が備えられている場合に、前記出入口が開いて不審者の侵入が検出されると点灯する前記警告灯の赤色光等に限定することも可能である。この場合、予めその光を取り込み、そのときのＣＣＤラインセンサ２９の出力値を記憶し、それを異常判定に用いるようにすればよい。
【００４２】
ＲＡＭ６は、制御部２の主メモリ、ワークエリア等として機能するものであり、モード情報４０、閾値４１、設定時間４２、通信先情報４３、及びログ４４を格納している。モード情報４０は、画像読取装置１の現在の設定モードが通常モードと防犯モードのどちらであるかを示す情報である。閾値４１は、ユーザによって操作部１２から予め設定される固定値、又は、異常検出時以外の光の所定時間毎の変化の度合い（周囲の明るさの変化の度合い）に応じて更新される値である。後者の場合、周囲の明るさの変化に応じて更新するのは、周囲が明るい場合にはアナログ検出信号のレベル変化量は小さく検出され、周囲が暗い場合にはアナログ検出信号のレベル変化量は小さく検出されるためであり、閾値４１も所定時間毎に周囲の明るさの変化に応じて更新される方がより精度よく異常の有無の判定ができる。制御部２は、読取部５から出力されたデジタル検出信号のレベル変化量がこの閾値４１を超えた場合、そのデジタル検出信号のレベル変化量が閾値４１を超えてから前記デジタル検出信号のレベル変化量の絶対値が閾値４１を超えるまでの間の時間（以下、「継続時間」という。）を計測する計測手段として機能する。
【００４３】
以下、周囲が次第に明るくなる時間帯に異常な光を一定時間検出した場合の継続時間の計測方法について説明する。制御部２は、ＣＣＤラインセンサ２９が検出したシェーディング補正後のデジタル検出信号のレベル変化量が時間の経過に伴う自然な光のレベル変化量を大きく上回ったと判断した場合、すなわち、図８に例示するようにデジタル検出信号のレベル変化量（時刻Ｔ０から時刻Ｔ１までの間における検出信号の増加量）が閾値４１を超えたと判断した場合、時間の計測を開始する。そして、制御部２は、異常な光を検出している一定時間後、デジタル検出信号のレベル変化量（時刻Ｔ２から時刻Ｔ３までの間における検出信号の減少量）の絶対値が閾値４１を超えたと判断した場合、時間、すなわち、継続時間の計測を終了する。このように、制御部２は、シェーディング補正後のデジタル検出信号の変化量（単位時間当りのレベルの増減量）が光の自然なレベル変化量を大きく上回ってから元の自然なレベル変化量の状態に戻ったと判断するまでの時間（ここでは、時刻Ｔ１から時刻Ｔ３までの時間）を継続時間として計測する。なお、本実施形態では、デジタル検出信号のレベル変化量が閾値４１を超えてから前記デジタル検出信号のレベル変化量の絶対値が閾値４１を超えるまでの間の時間を継続時間としたが、デジタル検出信号のレベルが所定のレベルである閾値を超えている間の時間を継続時間としてもよい。
【００４４】
設定時間４２は、制御部２が異常の有無を判定する基準となる時間であり、制御部２は、前記継続時間がこの設定時間４２を超えた場合に異常有りと判定する。この設定時間４２は、ユーザによって操作部１２から予め設定されている。上記のように、制御部２は、ＣＣＤラインセンサ２９が検出したデジタル検出信号のレベル変化量（電気信号）が閾値４１を超えたか否かに基づいて異常の有無を判定する判定手段として機能する。通信先情報４３は、継続時間が設定時間４２を超えて制御部２が異常有りと判定した場合にその旨、すなわち、異常発生を通知する外部通信端末１６の電話番号であり、ユーザによって予め登録されている。ログ４４は、読取部５から出力されたデジタル検出信号のレベル変化量が閾値４１を超えた時刻、継続時間、外部通信端末１６に異常発生を通知した時刻、外部通信端末１６から受け付けたコマンドに基づいて実行した処理の内容等を記録した情報である。
【００４５】
コーデック７は、通常モード時に読取部５から出力された原稿の画像データをＭＨ（Modified Huffman）、ＭＲ（Modified READ）、ＭＭＲ（Modified Modified READ）、ＪＢＩＧ（Joint Bi-level Image Group）方式等により符号化（エンコード）・復号（デコード）する。画像メモリ８は、コーデック７において符号化された原稿の画像データ等を格納する。
【００４６】
集音部９は、音を集めるものであり、具体的には、マイク等を具備して構成されている。なお、画像読取装置１にハンドセットが設けてある場合は、そのハンドセットに内蔵されているマイクの感度を通常より上げて集音部９として用いてもよい。
【００４７】
通信部１０は、モデム４５及びＮＣＵ（Network Control Unit）４６を備えている。モデム４５は、例えばＩＴＵ−Ｔ（国際電気通信連合電気通信標準化部門）の勧告Ｖ．３４規格又はこれと同様のものに従った送受信データの変調及び復調を行うものである。ＮＣＵ４６は、電話回線を制御して電話をかけたり、切ったりする回線網制御装置であり、ＰＳＴＮ１７に接続されている。この通信部１０は、通常モード時は、外部装置との間で原稿の画像データをファクシミリ送受信するものである。一方、防犯モード時は、前記継続時間が設定時間４２を超えて、制御部２が異常有りと判定した場合に予め通信先情報４３に登録された電話番号の外部通信端末１６に接続して異常発生を通知するためのものである。したがって、通信部１０を介して外部通信端末１６に異常発生を通知する制御部２は、制御部２が異常有りと判定した場合にその旨を所定の外部通信端末１６に通知する通知手段として機能する。
【００４８】
また、通信部１０は、外部通信端末１６に異常発生を通知した場合に外部通信端末１６から返送されるコマンドを受け付ける。このコマンドは、画像読取装置１に対して防犯モードを解除して通常モードに変更させたり、警備会社等へ通報させたり、又は、後述する表示部１３のスピーカ（不図示）から警告音を鳴動させたりするためのものである。これらの複数のコマンドそれぞれに対応する処理は、画像読取装置１と外部通信端末１６との間で予め設定されている。更に、通信部１０は、外部通信端末１６からモード情報４０を変更するモード変更コマンドを受け付ける。
【００４９】
ＬＡＮ Ｉ／Ｆ１１は、ＬＡＮ（Local Area Network）４７と画像読取装置１とを通信可能に接続するインターフェースである。ＬＡＮ４７には、クライアントＰＣ４８が設置されており、クライアントＰＣ４８から画像読取装置１のＲＡＭ６に格納されている通信先情報４３等を変更したり、ログ４４を確認することも可能である。また、ＬＡＮ４７には、メールサーバ４９、ルータ５０も設置されており、制御部２は、通信部１０からの異常発生を通知する処理の代わりにメールサーバ４９及びルータ５０を介して外部通信端末１６に異常発生を通知する電子メールを送信することが可能であり、また、ルータ５０を介して外部通信端末１６からのコマンドを受信することも可能である。更に、画像読取装置１は、ＬＡＮ Ｉ／Ｆ１１を介してピアツーピアによってネットワーク上の所定のＰＣと通信することも可能である。
【００５０】
操作部１２は、画像読取装置１の設定モードの変更や各種設定・登録を行うためのカーソルキー等、コピーやファクシミリ送信の指示等を入力する各種操作キーを具備しており、表示部１３と連動している。ユーザによる各種の入力操作は、この操作部１２において行われる。ユーザは、通常、操作部１２から入力して設定モードを変更するが、設定モードの変更を時刻で設定することもできる。例えば、防犯モード中の画像読取装置１が設置された室内に人が入室する時刻が午前８時前後である場合、画像読取装置１の防犯モードの解除（防犯モードから通常モードへの変更）時刻を午前７時４５分と設定しておくことができ、そうすることによって前記室内に人が午前８時前後に入室する際に異常有りと判定されることがない。逆に、通常モードから防犯モードへの変更も時刻で設定することができ、どちらか一方のみを設定しておくこともできる。なお、防犯モード中に原稿読取処理の開始指示（コピーやファクシミリ送信の指示等）が入力されても、外光監視は中止されず、暗証番号入力等の特別な操作を行わない限り、防犯モード解除時刻に達するまで外光監視状態は継続される。
【００５１】
表示部１３は、液晶表示装置（ＬＣＤ：Liquid Crystal Display）、ＬＥＤランプ、スピーカ等からなり、画像読取装置１の現在のモード等が表示されたり、警告音がスピーカから鳴動される。また、ユーザは、この表示部１３でログ４４を確認することができる。なお、表示部１３の液晶表示装置をタッチパネル式のものとして、操作部１２の代わりに表示部１３から画像読取装置１の各種設定・登録を行うようにしてもよい。記録部１４は、通常モード時にファクシミリ受信した原稿の画像データの画像等を用紙に記録するものである。この記録部１４における記録方式としては、例えば、電子写真方式やインクジェット記録方式等の各種の記録方式を用いることができる。
【００５２】
以上のように構成された画像読取装置１において、防犯モードに設定された場合の画像読取装置１の各部の処理動作について、図９及び図１０に示すフローチャートに基づいて説明する。なお、この画像読取装置１の各部の処理動作は、ＲＯＭ３に格納されている制御プログラムに基づいて制御部２が発行する制御命令に従って行われる。
【００５３】
まず、画像読取装置１が通常モードから防犯モードに設定されると、防犯モードへの移行に伴って、アクチュエータが走査キャリッジ２７を外光監視位置まで移動させる。そして、読取部５は、集光部４により集められ走査キャリッジ２７により導かれた自装置１周辺における所定領域の光を電気信号として検出する（Ｓ１）。なお、防犯モードに設定された時点ですぐに光の検出を開始すると、防犯モードに設定される際の室内の照明やユーザが出入口を開けて室外に出る際に廊下から入る光等によって、異常は無いにもかかわらず防犯機能が作動するため、防犯モードに設定されてから所定時間を経過した後、例えば５分後に光の検出を開始する等適宜設定されている。
【００５４】
集光部４により集められ走査キャリッジ２７により導かれた自装置１周辺における所定領域の光を読取部５のＣＣＤラインセンサ２９がアナログ検出信号（電気信号）として検出し、該アナログ検出信号は、ゲイン調整、Ａ／Ｄ変換、及びシェーディング補正を施されてデジタル検出信号として読取部５から出力される。制御部２は、このようにして検出した光のデジタル検出信号（電気信号）のレベル変化量が閾値４１を超えたか否かを判断する（Ｓ２）。デジタル検出信号のレベル変化量が閾値４１を超えたと判断した場合（Ｓ２：ＹＥＳ）、デジタル検出信号のレベル変化量が閾値４１を超えてから前記レベル変化量の絶対値が閾値４１を超えるまでの間の時間、すなわち、継続時間を計測する（Ｓ３）。そして、計測した継続時間がＲＡＭ６に格納された設定時間４２を超えたか否かを判断する（Ｓ４）。継続時間が設定時間４２を超えなかったと判断した場合（Ｓ４：ＮＯ）、異常無しと判定して（Ｓ５）、継続時間をリセットし（Ｓ１７）、処理を終了する。一方、継続時間が設定時間４２を超えたと判断した場合は（Ｓ４：ＹＥＳ）、異常有りと判定し（Ｓ６）、集音部９は、周囲の音を集音する（Ｓ７）。この集音部９が集音した音は、後の処理で外部に送信されるため、集音部９による集音は、一定時間継続して行われる。なお、この集音時間は変更可能である。
【００５５】
次いで、制御部２は、ＲＡＭ６の通信先情報４３に登録された電話番号の外部通信端末１６に通信部１０を介して発呼する（Ｓ８）。そして発呼後に、外部通信端末１６との回線が接続されたか否かを判断し（Ｓ９）、外部通信端末１６との回線が接続された場合（Ｓ９：ＹＥＳ）、外部通信端末１６に異常発生を通知する（Ｓ１０）。具体的には、「○時○分に異常が発生しました。」等の音声メッセージを送信する。一方、外部通信端末１６との回線が接続されなかった場合は（Ｓ９：ＮＯ）、再度外部通信端末１６に発呼する（Ｓ８）。制御部２は、Ｓ９で異常発生を通知した後、前記集音部９が一定時間集音した音を外部通信端末１６に送信する（Ｓ１１）。このようにして、音を送信することにより、外部通信端末１６を所持しているユーザは、異常発生時の状況を音から把握することができる。
【００５６】
制御部２は、一定時間集音した音を送信した後、コマンド入力を促す旨の音声メッセージを通信部１０から送信する（Ｓ１２）。具体的には、コマンドに対応する番号を報知し、希望する番号を押下することを促す旨の音声メッセージを送信する。例えば、「警備会社に通報するときは、１を、スピーカから警告音を鳴動させるときは、２を、防犯モードを解除する場合は、３を押してください。」等の音声メッセージを送信する。
【００５７】
そして、制御部２は、ユーザの番号キーの押下により外部通信端末１６から返送される信号に基づいて、コマンドの入力があったか否かを判断する（Ｓ１３）。コマンドの入力がなかったと判断した場合（Ｓ１３：ＮＯ）、すなわち、コマンドの入力がなく所定時間が経過した場合、後述するＳ１５以降の処理を行う。一方、コマンドの入力があったと判断した場合は（Ｓ１３：ＹＥＳ）、そのコマンドに応じた処理を行う（Ｓ１４）。例えば、前記の例の場合において外部通信端末１６で「１」が入力されたと判断した場合、「１」に対応するコマンド、すなわち、警備会社に異常発生を通報するための所定の処理を行う。コマンドに応じた処理の終了後、処理が終了した旨を伝える音声メッセージを外部通信端末１６に送信する。このようにして、コマンドに基づいて処理を実行した後、その処理が終了したことを外部通信端末１６に通知する。次いで、制御部２は、外部通信端末１６との回線が切断されたか否かを判断する（Ｓ１５）。回線が切断されたと判断した場合（Ｓ１５：ＹＥＳ）、ログ４４をＲＡＭ６に記憶する（Ｓ１６）。そして、計測した継続時間をリセットし（Ｓ１７）、処理を終了する。
【００５８】
以上の説明から明らかなように、本発明の実施形態に係る画像読取装置１によれば、通常の処理動作では使用しないセンサを別途付加することなく、画像読取装置１周辺の所定領域、例えば、画像読取装置１周辺に置かれた金庫２５周辺を照らす光等を監視することができ、周囲の明るさが変化してもそれに応じて常に精度よく異常の有無を判定できる防犯装置として使用することができる。そして、瞬間的な光の変化を異常有りと判定するような誤判定を防止でき、的確に異常の有無を判定できる。更に、外部通信端末１６を所持するユーザは、画像読取装置１周辺の所定領域における異常発生を知ることができ、ユーザは、外出中であっても、外部通信端末１６から画像読取装置１に対して命令して異常に対する対応、例えば、警備会社に通報させること等ができる。
【００５９】
なお、本発明は上記実施形態に限定されるものではなく、本発明の要旨の範囲内で種々の変形実施が可能である。例えば、本実施形態において、Ｓ７で集音部９によって周囲の音を集音し、Ｓ１１でその音を外部通信端末１６に送信しているが、必要に応じてこれらの処理を除いてもよい。ただし、ユーザが異常発生時の状況をより明確に把握できるようにするためには、本実施形態のようにＳ７及びＳ１１の処理を行う方が好適である。また、Ｓ８で外部通信端末１６に電話回線を接続して異常発生を通知する処理を行う代わりに、通信先情報４３に外部通信端末１６のメールアドレスを格納して、ＬＡＮ Ｉ／Ｆ１１からメールサーバ４９及びルータ５０を介して外部通信端末１６に電子メールを送信して異常発生を通知してもよい。その場合、その電子メールによる異常発生の通知に対して、ルータ５０を介して外部通信端末１６からコマンドを受信し、その受信したコマンドに応じた処理を行うようにすればよい。また、Ｓ６で異常ありと判定した場合、すぐに表示部１３のスピーカから警告音を鳴動させてもよい。
【００６０】
次に、画像読取装置１において、外部通信端末１６からモード変更コマンドを受け付けてモード情報４０を変更する場合の各部の処理動作について、図１１に示すフローチャートに基づいて説明する。
【００６１】
まず、制御部２は、外部から発呼があったか否かを判断する（Ｓ２１）。発呼があったと判断した場合（Ｓ２１：ＹＥＳ）、相手先の電話番号が通信先情報４３の電話番号と一致したか否かを判断する（Ｓ２２）。相手先の電話番号が通信先情報４３の電話番号と一致しなかったと判断した場合（Ｓ２２：ＮＯ）、すなわち、外部通信端末１６以外からの着信であった場合は、ファクシミリ受信等の他の処理を行う。一方、相手先の電話番号が通信先情報４３の電話番号と一致したと判断した場合は（Ｓ２２：ＹＥＳ）、相手先である外部通信端末１６との回線を接続する（Ｓ２３）。
【００６２】
次いで、制御部２は、予めユーザによってＲＡＭ６に登録された暗証番号の入力を促す旨の音声メッセージを通信部１０から送信し（Ｓ２４）、外部通信端末１６から返送される信号に基づいて、暗証番号が入力されたか否かを判断する（Ｓ２５）。暗証番号が入力されなかったと判断した場合（Ｓ２５：ＮＯ）、すなわち、所定時間を経過しても暗証番号の入力がなされなかった場合は、再度暗証番号の入力を促す旨の音声メッセージを送信し（Ｓ２４）、以降の処理を行う。一方、暗証番号が入力されたと判断した場合は（Ｓ２５：ＹＥＳ）、その暗証番号が正しいか否かを判断する（Ｓ２６）。入力された暗証番号が正しくないと判断した場合（Ｓ２６：ＮＯ）、すなわち、間違った暗証番号が入力された場合、回線を切断し（Ｓ３０）、処理を終了する。一方、入力された暗証番号が正しいと判断した場合は（Ｓ２６：ＹＥＳ）、モード情報４０に格納されている現在の設定モードが通常モードと防犯モードのどちらであるかを通知し、モード変更コマンドの入力を促す旨の音声メッセージを送信する（Ｓ２７）。例えば、「現在は通常モードです。モード変更を希望される場合は、１を押してください。希望されない場合は、３を押してください。」等の音声メッセージを送信する。
【００６３】
そして、制御部２は、外部通信端末１６からユーザのキー操作により外部通信端末１６から返送された信号に基づいて、モード情報４０のモード変更コマンドの入力があったか否かを判断する（Ｓ２８）。モード変更コマンドの入力があったと判断した場合（Ｓ２８：ＹＥＳ）、モード情報４０を現在の設定モードからもう一方の設定モードへ変更する（Ｓ２９）。すなわち、画像読取装置１が現在通常モードである場合には、防犯モードへ変更し、逆に現在防犯モードである場合には、通常モードへ変更する。モード情報４０の変更が完了したら、モード情報４０の変更が完了した旨を音声メッセージで外部通信端末１６に送信してもよい。モード情報４０の変更後、回線を切断して（Ｓ３０）、処理を終了する。一方、モード変更コマンドの入力がなかったと判断した場合（Ｓ２８：ＮＯ）、すなわち、所定時間を経過してもモード変更コマンドの入力がなかったり、モード変更を希望しないコマンドの入力があった場合は、回線を切断し（Ｓ３０）、処理を終了する。なお、Ｓ２３で回線を接続した以降の処理の途中で回線が切断された場合は、その時点で処理を終了する。
【００６４】
以上の説明から明らかなように、本発明の実施形態に係る画像読取装置１によれば、ユーザは、画像読取装置１が設置された室内にいなくても、画像読取装置１のモード情報４０を通常モードから防犯モードへ、又は、防犯モードから通常モードへと変更することができる。そのため、例えば、外出後に画像読取装置１を防犯モードにし忘れたことに気づいた場合でも外出先から通常モードから防犯モードに変更することができ、また、急に外出先から画像読取装置１が設置された室内に戻る必要が生じた場合にも、ユーザが室内に戻ったことで画像読取装置１が異常有りと判定しないように防犯モードを解除することができ、防犯装置として大変有用である。
【産業上の利用可能性】
【００６５】
本発明は、個人住宅やオフィス等に設置されるファクシミリ装置に利用可能である。
【図面の簡単な説明】
【００６６】
【図１】本発明の実施の形態に係る画像読取装置の構成例を示した説明図である。
【図２】本発明の実施の形態に係る画像読取装置の防犯モード時における集光部及び読取部の概略構成を示した断面図である。
【図３】集光部の構成例を示した説明図である。
【図４】本発明の実施の形態に係る画像読取装置が設置されたオフィスの一例を示した平面図である。
【図５】集光レンズのピントが合う位置の軌跡と白色板との位置関係を示す平面の模式図である。
【図６】防犯モード時に縮小光学系により縮小される光検出に用いられるＣＣＤラインセンサの幅を示す平面の模式図である。
【図７】周囲が次第に明るくなる時間帯における自動感度調整機能についての説明図である。
【図８】周囲が次第に明るくなる時間帯に異常な光を一定時間検出した場合における継続時間についての説明図である。
【図９】防犯モードに設定された場合に、画像読取装置において行われる処理動作を示すフローチャートである。
【図１０】防犯モードに設定された場合に、画像読取装置において行われる処理動作を示すフローチャートである。
【図１１】外部通信端末からモード変更コマンドを受け付けてモード情報を変更する場合に、画像読取装置において行われる処理動作を示すフローチャートである。
【符号の説明】
【００６７】
１    画像読取装置
２    制御部
４    集光部
５    読取部
６    ＲＡＭ
１０    通信部
１６    外部通信端末
２７    走査キャリッジ
２９    ＣＣＤラインセンサ
３０    ＡＦＥ回路
４１    閾値
４２    設定時間
【図１】
2006013673.tif 000003
【図２】
2006013673.tif 000004
【図３】
2006013673.tif 000005
【図４】
2006013673.tif 000006
【図５】
2006013673.tif 000007
【図６】
2006013673.tif 000008
【図７】
2006013673.tif 000009
【図８】
2006013673.tif 000010
【図９】
2006013673.tif 000011
【図１０】
2006013673.tif 000012
【図１１】
2006013673.tif 000013